(57)【要約】      （修正有）【課題】家族単位あるいは特定の者がある期間繰り返し使用できるもので，しかも装着が容易で衛生的に使用できる腰掛式トイレ用使い捨て簡易便座カバーを提供する。【解決手段】表地１２は疎水性のある透液性シートから，裏地１３は不透液性シートから，中間部の芯体１４は吸液体からなっている。裏地１３の裏面には接着層１５が形成されているが，この接着剤は接着力の弱いものを使用し，取り替えにあたっては，接着剤が便座１１に付着して便座を汚さない接着剤を使用する。未使用時には接着層１５の表面は適当なシール紙で覆い，不用意に接着層１５同士あるいは他の部分と接着しないようになっている。【選択図】図１
0003110540.tif 000002
【実用新案登録請求の範囲】
【請求項１】
表地が疎水性を有する透液性シートからなり，裏地が不透液性シートからなって，芯体には吸液体が配置され，前記不透液性シートの裏面には便座表面に取り外し可能な接着層が形成されていることを特徴とし，家族やペアといった特定の者が，家庭では数十回から数日間，宿泊施設ではチェックインからチェックアウトまで使用可能で，しかもその着脱が簡単で一般ごみとして処分できる腰掛式トイレ用使い捨て簡易便座カバー。
【請求項２】
表地の透液性シート，芯体の吸液体，裏地の不透液性シートには抗菌作用のある素材を使用するか，あるいは殺菌剤がふくまれ，また芯体には脱臭剤や芳香剤が含まれている請求項１の腰掛式トイレ用使い捨て簡易便座カバー。
【考案の詳細な説明】
【考案の開示】
【産業上の利用分野】
【０００１】  本考案は，家族やペアといった特定の者が，家庭では数十回から数日間宿泊施設ではチェックインからチェックアウトまで使用可能で，しかもその着脱が簡単にでき，更に一般のごみと一緒に廃棄できる腰掛式トイレ用使い捨て簡易便座カバーに関する。
【背景技術】
【０００２】  腰掛式トイレにおいては，プラスチックからなる便座の表面に尻が直接当接すると，水で濡れていないか，小便などの飛沫などがかかっていないか等と思い気持ちが悪く，また冬季には冷たく感じたり，夏期あるいは冬季においても保温性のあるものは汗をかきベトベトし，更に皮膚病が伝染するのではないか等の理由から，便座カバーを置いて使用することが一般的に行われている。
従来の便座カバーとしては，アクリル製あるいは布地からなって便座に装着し洗濯をすることにより繰り返し使用するものと，水溶性シートを使用して，使用前にまず便座の上に該シートを被せ，使用後は該シートを便器の中に入れて便と一緒に流して処分する使い捨ての便座カバーとがあった。
【本考案が解決しようとする課題】
【０００３】  ところが，上記アクリル製や布製からなって常時便座に装着するものは，家庭において使用する時，便所で使用した物を洗濯することは衛生的ではないとともに，共働きの世帯が多くなった今日洗濯に手間が掛かったり，突然の来客時とっさに便座カバーを取り替えることができない事も考えられる。
また，ホテル等宿泊施設で使用する場合には，毎日客が変わることもあって，継続的に装着して置くと不潔感を生じるという問題点があたり，例え毎日取り替えると洗濯等に経費かかる。
更に使用中あるいは使用後に水洗の水，汗等が表面に付着した場合，表面に水分が残り次に使用する時違和感を感じるという問題点があった。
一方，水溶性の素材からできっている使い捨て便座カバーは，水溶性の素材からできているので，便座の表面が濡れていたり汗をかいているときは全く使用できず，また，使用後はトイレに流して捨てるようになっているため，その材質は薄くひらひらして装着が簡単ではなく，使用し難いという問題点があった。
本考案はこのような事情に鑑みてなされたもので，家族単位あるいは特定の者がある期間繰り返し使用できるもので，しかも装着が容易で衛生的に使用できる腰掛式トイレ用使い捨て簡易便座カバーを提供することを目的とする。
【課題を解決するための手段】
【０００４】  上記目的に沿う請求の範囲第１項記載の腰掛式トイレ用使い捨て簡易便座カバーは，表地が疎水性を有する透液性シートからなり，裏地が不透液性シートからなって，芯体には吸液体が配置され，前記不透液性シートの裏面には便座表面に取り外し可能な接着層が形成されている。
そして，請求の範囲第２項記載の腰掛式トイレ用使い捨て簡易便座カバーは，請求の範囲第１項において，表地の透液性シート・芯体の吸液体・裏地の不透液性シートに抗菌作用のある素材を使用するか殺菌剤が含まれたもので構成される。
【作用】
【０００５】  請求の範囲第１項の腰掛式トイレ用使い捨て簡易便座カバーにおいては，表地が疎水性を有する透液性シートからなっているので，内部の水分が表面に逆漏れせず，また芯体には吸液体が配置されているので，表面から浸透する汗・その他の水分を吸収する。
特に，請求の範囲第１項記載の腰掛式トイレ用使い捨て簡易便座カバーは，裏面に便座表面に取り外し可能な接着層が形成されているので，これによって別の新しい腰掛式トイレ用使い捨て簡易便座カバーと容易に取り替えることができる。
請求の範囲第２項記載の腰掛式トイレ用使い捨て簡易便座カバーにおいては，その素材に抗菌作用のあるものを使用するか殺菌剤が含まれたもので構成するので，該腰掛式トイレ用使い捨て簡易便座カバーを消毒でき衛生的に保つことができる。
【実施例】
【０００６】  続いて，添付した図面を参照しつつ，本考案を具体化した実施例につき説明し，本考案の理解に供する。
ここに，図１は本考案の一実施例に係る腰掛式トイレ用使い捨て簡易便座カバーの部分断面図，図２は該腰掛式トイレ用使い捨て簡易便座カバーを使用している状態の斜視図，該腰掛式トイレ用使い捨て簡易便座カバーの形状は，ハの字形状のものとＵ字形状のものが有り，図３及び図４はその各の底面図である。
図１，図２に示すように，本考案の一実施例に係る腰掛式トイレ用使い捨て簡易便座カバー１０は，便座１１の形状に合わせた形状であるのは勿論のことである。
そして，該腰掛式トイレ用使い捨て簡易便座カバー１０は図１に示すように，表地１２は疎水性のある透液性シートから，裏地１３は不透液性シートから，中間部の芯体１４は吸液体からなっていっる。
前記１２疎水性のある透液性シートとは，所用の強度をう有する，保液性を有しない，肌触りが良いなどの機能を有し，かつ熱溶着で一本化させる必要があることから，ポリプロピレン，ポリエステル，ポリアミド，アクリルニトリル系の繊維からなる疎水性繊維と，必要によってはポリエチレン−ポリプロピレンの複合物，低融点ポリエステル等からなる熱融合成繊維とを適量混入して該繊維をバインダー，熱溶着，交絡によって製造した不織布性が使用されている。これによって，該透液性シートが水分を保持せず，芯体の１４に水分を伝えて，しかも逆漏れしないようになっている。
また，前記１４の吸液体とは，粉砕パルプ，吸水紙，高分子ポリマー，天然コットン等が使用される。
また，前記  １３裏地として使用する不透液性シートには，プラスチックフィルムあるいは防水紙等が使用され，その両端は表地１２に固着されている。
そして，これらの素材には抗菌作用のあるものを使用し，特に芯体１４には殺菌剤を混入して置くことも可能であり，場合によっては脱臭剤や芳香剤を混入することも可能である。前記裏地１３の裏面には接着層１５が形成されているが，この接着剤は接着力の弱いものを使用し，取り替えにあたっては，接着剤が便座１１に付着して便座を汚さない接着剤を使用する必要がある。
なお，未使用時には前記接着層１５の表面は適当なシール紙で覆い，不用意に接着層１５同士あるいは他の部分と接着しないようになっている。
従って，この腰掛式トイレ用使い捨て簡易便座カバー１０を使用する場合は，先ず裏面の接着層１５に貼着されたシール紙を剥がして接着層１５を露出し，図３のハの字形状であっても図４のＵ字形状であっても，使用する人が便座１１に座った時肌が直接便座に触れることがないように，便座１１の全体を覆うようにして便座に被せる。この場合，該腰掛式トイレ用使い捨て簡易便座カバー１０の大きさは，便座１１より少し大きく形成され，使用する人が便座に直接肌が触れないよう便座１１を充分に覆うことができるようになっている。
そして，接着層１５を押圧して便座の表面に，図２に示すように，該腰掛式トイレ用使い捨て簡易便座カバー１０を接着しておく。そして，例えばホテル等宿泊施設で客が変わった時，また家庭で汚れがひどくなった場合や急な来客の時，前記腰掛式トイレ用使い捨て簡易便座カバーを接着層１５の部分で剥がして，新しい腰掛式トイレ用使い捨て簡易便座カバー１０と交換する。
使用にあっては，まず汗等の体液が付着した場合，あるいは尻洗浄装置等からの水が付着した場合には，透液性シートからなる表地１２を通って内部の吸液体からなる芯体１４に吸収される。そして，表地に付着する液体は時間の経過と共に乾燥するので，次ぎに使用する場合であっても表面の濡れは感じない。
また，素材には抗菌作用のあるものか殺菌剤が配置されているので，病原菌等の消毒も行われる。
【考案の効果】
【０００７】  請求の範囲第１項記載の腰掛式トイレ用使い捨て簡易便座カバーは，以上の説明からも明らかなように，装着が容易で，家族単位やペア等特定の者で使用すれば数十回から数日間使用でき，しかも従来の一回使用して捨てる使い捨て便座カバーに比較して，安定した装着ができる。
また，仮に表面に汗や水等が付着しても，表地が透液性でしかも逆漏れ防止の素材を使用しているため内部の芯体に浸透し，使用時にじとっとするというような気持ち悪さを感じなし，裏面に不透液性シートを使用しているので便座自体を不衛生にすることもない。
請求の範囲第２項記載の腰掛式トイレ用使い捨て簡易便座カバーにおいては，その素材に抗菌作用のあるものを使用するか殺菌剤が含まれているので，病原菌等の殺菌を行い衛生的である。
【図面の簡単な説明】
【０００８】  図１は本考案の一実施例に係る腰掛式トイレ用使い捨て簡易便座カバーの部分断面図，図２は該腰掛式トイレ用使い捨て簡易便座カバーを使用している状態の斜視図，図３はハの字形状の該腰掛式トイレ用使い捨て簡易便座カバーの底面図，図４はＵ字形状の該腰掛式トイレ用使い捨て簡易便座カバーの底面図である。
【符号の説明】
【０００９】１０・・・腰掛式トイレ用使い捨て簡易便座カバー，          １１・・・便座
１２・・・表地          １３・・・裏地          １４・・・芯体
１５・・・接着層
【図１】
0003110540.tif 000003
【図２】
0003110540.tif 000004
【図３】
0003110540.tif 000005
【手続補正書】
【提出日】平成16年8月6日(2004.8.6)
【手続補正１】
【補正対象書類名】図面
【補正対象項目名】図３
【補正方法】変更
【補正の内容】
【図３】
0003110540.tif 000006
【手続補正２】
【補正対象書類名】図面
【補正対象項目名】図４
【補正方法】変更
【補正の内容】
【図４】
0003110540.tif 000007